(57)【要約】【課題】買物籠と買物袋とのいずれにも商品の詰め込み作業を行うことができる収納体支持具を提供する。【解決手段】収納体支持具１は、載置面２ａの奥行き方向に沿っての載置面２ａに対する買物籠の搬入出において買物籠が通過する第１の通過領域４と、載置面２ａの幅方向に沿っての載置面２ａに対する買物籠の搬入出において買物籠が通過する領域であって第１の把手支持部と載置面２ａとの間の領域を含む第２の通過領域５と、を備える。【選択図】図１
2011051650.tif 000002
【特許請求の範囲】
【請求項１】
客によって店舗に持ち込まれる買物籠の底部と一対の把手を有して客によって店舗に持ち込まれる買物袋の底部とが載置される載置面を有する載置台と、
前記載置面よりも上方に位置するとともに前記載置面の奥行き方向と直交する前記載置面の幅方向で相互に離間して対向配置され、前記載置面に載置される前記買物袋の一対の把手をそれぞれ引っ掛けて前記買物袋を開口状態で支持する一対の第１の把手支持部と、
前記載置面の奥行き方向に沿っての前記載置面に対する前記買物籠の搬入出において前記買物籠が通過する第１の通過領域と、
前記載置面の幅方向に沿っての前記載置面に対する前記買物籠の搬入出において前記買物籠が通過する領域であって前記第１の把手支持部と前記載置面との間の領域を含む第２の通過領域と、
を備えることを特徴とする収納体支持具。
【請求項２】
前記載置面の奥行き方向に沿った前記載置面への前記買物籠の搬入方向で前記第１及び第２の通過領域の前方に位置して前記載置台に立設されたフレーム部材と、
前記載置面の奥行き方向に沿った前記載置面への前記買物籠の搬出方向に沿って前記フレーム部材から延出し先端部が相互に接続された複数の棒部を有し、前記棒部で前記第１の把手支持部を支持したアーム部材と、
を備えることを特徴とする請求項１に記載の収納体支持具。
【請求項３】
前記載置面の上方に位置するとともに前記載置面の幅方向で相互に離間して対向配置され、店舗が客に提供するレジ袋を開口状態で支持する一対の第２の把手支持部を備え、
前記載置面は、前記レジ袋の底部を支持し、
前記第１及び第２の通過領域は、前記第２の把手支持部の下方領域を含むことを特徴とする請求項１又は２に記載の収納体支持具。
【請求項４】
前記買物籠は、当該買物籠の高さ方向と直交する横幅よりも前記高さ方向及び前記横幅方向と直交する縦幅の方が広い平面視矩形状に形成されており、
前記載置面は、前記買物籠の前記縦幅方向が当該載置面の奥行き方向に沿う状態で前記買物籠の底部を支持することを特徴とする請求項１ないし３のいずれか一項に記載の収納体支持具。
【請求項５】
客の操作によって商品の販売登録を行うセルフ式商品販売データ処理装置の隣に配置されることを特徴とする請求項１ないし４のいずれか一項に記載の収納体支持具。
【請求項６】
前記載置台に立設された壁を備え、
前記第２の通過領域は、一対の前記第１の把手支持部のうちの一方の前記第１の把手支持部と前記載置面との間の領域を含み、
他方の前記把手支持部は、前記壁に固定されていることを特徴とする請求項１に記載の収納体支持具。
【発明の詳細な説明】
【技術分野】
【０００１】
本発明は、収納体支持具に関する。
【背景技術】
【０００２】
従来、スーパーマーケットなどの店舗における買物において、客が自分の袋であるマイバッグを店舗に持ち込み、購入した商品をそのマイバッグに入れて持ち帰るという形態がある。
【０００３】
このような買い物形態に対応して、店舗には、マイバッグの一対の把手を引っ掛けてマイバッグを開口状態で支持する収納体支持具が設置されており、客は、収納体支持具にマイバッグを引っ掛けることで容易にマイバッグへ商品を詰め込むことができる（例えば、特許文献１参照）。
【０００４】
近年、客が操作するセルフＰＯＳ端末等のセルフ式商品販売データ処理装置が普及しつつある。さらに、最近では、客が自分の買物籠であるマイバスケットを店舗に持ち込み、購入した商品をそのマイバスケットに入れて持ち帰るという買物形態が普及し始めている。
【発明の概要】
【発明が解決しようとする課題】
【０００５】
セルフ式商品販売データ処理装置においては、客が自ら端末を操作するものであることから、セルフ式商品販売データ処理装置の設置場所において、商品に付された商品コードのスキャン作業、決済作業及びマイバスケットやマイバッグ等への商品の詰め込み作業などの一連の作業が完結するのが望ましい。
【０００６】
本発明は、上記に鑑みてなされたものであって、セルフ式商品販売データ処理装置の近傍にて、買物籠と買物袋とのいずれにも商品の詰め込み作業を容易に行うことができる収納体支持具を提供することを目的とする。
【課題を解決するための手段】
【０００７】
上述した課題を解決し、目的を達成するために、本発明の収納体支持具は、客によって店舗に持ち込まれる買物籠の底部と一対の把手を有して客によって店舗に持ち込まれる買物袋の底部とが載置される載置面と、前記載置面よりも上方に位置するとともに前記載置面の奥行き方向と直交する前記載置面の幅方向で相互に離間して対向配置され、前記載置面に載置される前記買物袋の一対の把手をそれぞれ引っ掛けて前記買物袋を開口状態で支持する一対の第１の把手支持部と、前記載置面の奥行き方向に沿っての前記載置面に対する前記買物籠の搬入出において前記買物籠が通過する第１の通過領域と、前記載置面の幅方向に沿っての前記載置面に対する前記買物籠の搬入出において前記買物籠が通過する領域であって前記第１の袋支持部と前記載置面との間の領域を含む第２の通過領域と、を備えることを特徴とする。
【発明の効果】
【０００８】
本発明にかかる収納体支持具によれば、セルフチェックアウト端末の近傍にて、買物籠と買物袋とのいずれにも商品の詰め込み作業を容易に行うことができるという効果を奏する。
【図面の簡単な説明】
【０００９】
【図１】図１は、本発明の一実施の形態にかかる収納体支持具をマイバスケットと共に示す斜視図である。
【図２】図２は、マイバスケットを支持した状態での収納体支持具を示す斜視図である。
【図３】図３は、マイバッグを支持した状態の収納体支持具を示す斜視図である。
【図４】図４は、レジ袋を支持した状態の収納体支持具を示す斜視図である。
【発明を実施するための形態】
【００１０】
以下に添付図面を参照して、この発明にかかる収納体支持具の一実施の形態を詳細に説明する。
【００１１】
図１は、本実施の形態にかかる収納体支持具をマイバスケットとともに示す斜視図である。図１に示すように、収納体支持具１は、買物籠であるマイバスケット１００等の収納体の底部を支持する載置面２ａを有する載置台２と、載置面２ａに立設された袋支持構造３とを備えている。また、収納体支持具１は、載置面２ａの奥行き方向（図中の矢印ａ方向）に沿っての載置面２ａに対するマイバスケット１００の搬入出においてマイバスケット１００が通過する第１の通過領域４を備える。また、収納体支持具１は、載置面２ａの幅方向（図中の矢印ｂ方向）に沿っての載置面２ａに対するマイバスケット１００の搬入出においてマイバスケット１００が通過する第２の通過領域５を備える。ここで、第２の通過領域５は、後述する一方のフック１４と載置面２ａとの間の領域を含んでいる。この収納体支持具１は、店舗に設置される。
【００１２】
図２は、マイバスケットを支持した状態での収納体支持具を示す斜視図、図３は、マイバッグを支持した状態の収納体支持具を示す斜視図、図４は、レジ袋３００を支持した状態の収納体支持具を示す斜視図である。なお、図４では一部の部材が省略されている。
【００１３】
収納体支持具１は、図２に示すように、マイバスケット１００を支持したり、図３に示すように買物袋であるマイバッグ２００を支持したり、図４に示すようにレジ袋３００を支持したりする。このとき、載置台２の載置面２ａには、マイバスケット１００の底部、マイバッグ２００の底部、レジ袋３００の底部が載置される。
【００１４】
マイバスケット１００は、客が店舗に持ち込む籠であり、マイバッグ２００は、客が店舗に持ち込む規格化されていない袋であり、レジ袋３００は、店舗が顧客に提供する規格化されたビニール袋である。客は購入した商品を、マイバスケット１００やマイバッグ２００、レジ袋３００に詰めて持ち帰ることができる。
【００１５】
マイバスケット１００は、図１に示すように、上面に開口１０１が形成された収納部１０２と、この収納部１０２の上部に連結された一対の把手１０３と、を有している。マイバスケット１００は、平面視で横幅よりも縦幅の方が長い矩形状に形成されており、載置面２ａは、図２に示すように、マイバスケット１００の縦幅方向が当該載置面２ａの奥行き方向に沿う状態でマイバスケット１００の底部を支持する。
【００１６】
マイバッグ２００は、図３に示すように、上面に開口２０１が形成された収納部２０２と、この収納部２０２の上部に連設された一対の把手２０３と、を有している。
【００１７】
レジ袋３００は、図４に示すように、上面に開口３０１が形成された収納部３０２と、この収納部３０２の上部に連設された一対の把手３０３と、一対の把手３０３の間に位置する一対の耳部３０４と、を有している。一対の把手３０３には、通し孔３０３ａが形成されている。また一対の耳部３０４には、引掛孔３０４ａが形成されている。一対の耳部３０４における収納部３０２との接続部には、ミシン目が形成されており、一対の耳部３０４は、ミシン目で本体部と分離可能となっている。
【００１８】
図１に示すように、袋支持構造３は、マイバッグ２００を支持する第１の袋支持部１１と、レジ袋３００を支持する第２の袋支持部１２と、を有している。
【００１９】
第１の袋支持部１１は、一対の把手支持部である一対のフック１４を有している。一対のフック１４は、載置面２ａよりも上方に位置するとともに載置面２ａの奥行き方向と直交する載置面２ａの幅方向で相互に離間して対向配置されている。フック１４は、金属製の棒部材が折り曲げ加工されることで形成されたものである。
【００２０】
一方のフック１４は、フレーム部材である背面壁３１と背面壁３１に片持ち支持されたアーム部材３２とによって載置台２に固定されている。背面壁３１は、載置面２ａの奥行き方向に沿った載置面２ａへのマイバスケット１００の搬入方向で第１及び前記第２の通過領域４，５の前方に位置して載置台２に立設されている。アーム部材３２は、載置面２ａの奥行き方向に沿った載置面２ａへのマイバスケット１００の搬出方向に沿って背面壁３１から延出し先端部が相互に接続された複数の棒部３２ａを有し、棒部３２ａで一方のフック１４を支持している。一方のフック１４は棒部３２ａに溶接等によって固定されている。アーム部材３２は、金属製の棒素材がＵの字状に折り曲げ加工されることで形成されたものである。このアーム部材３２の下方領域は、第２の通過領域５に含まれている。
【００２１】
他方のフック１４は、載置面２ａの幅方向の一側縁部に立設された壁である側壁３３の上部に固定されている。
【００２２】
このような構成の第１の袋支持部１１は、マイバッグ２００の一対の把手２０３をそれぞれ一対のフック１４で引っ掛けてマイバッグ２００を開口状態で支持する。このように第１の袋支持部１１によって支持されたマイバッグ２００の底部は、載置台２の載置面２ａによって支持される。この状態で、客は、マイバッグ２００に商品を詰めることができる。
【００２３】
第２の袋支持部１２は、図１及び図４に示すように、一対の第２の把手支持部である一対のアーム部材２１と、フック２２と、を有している。一対のアーム部材２１とフック２２とは、載置面２ａの奥行き方向に沿った載置面２ａからのマイバスケット１００の搬出方向に沿って背面壁３１から突出しており、背面壁３１によって片持ち支持されている。
【００２４】
一対のアーム部材２１は、載置面２ａの上方に位置するとともに載置面２ａの奥行き方向と直交する載置面２ａの幅方向で相互に離間して対向配置されている。一対のアーム部材２１は、レジ袋３００の一対の把手３０３を串刺し状態で支持する。詳しくは、一対のアーム部材２１は、レジ袋３００の一対の把手３０３に挿入されている。一対のアーム部材２１は、レジ袋３００を開口状態で支持する。このアーム部材２１の下方領域は、第１及び第２の通過領域４，５に含まれている。
【００２５】
一対のアーム部材２１は、第１の袋支持部１１の一対のフック１４の間に配置されており、かかる配置によって、第１の袋支持部１１によってマイバッグ２００が位置付けられるスペースと、第２の袋支持部１２によってレジ袋３００が位置付けられるスペースとは、少なくとも一部が同じとなっている。
【００２６】
フック２２は、載置面２ａの奥行き方向で一対のアーム部材２１の基部と略同一位置に位置しているとともに、載置面２ａの奥行き方向と直交する幅方向で一対のアーム部材２１の略中間に位置している。フック２２は、レジ袋３００の耳部３０４の引掛孔３０４ａを引っ掛けて耳部３０４を支持するものである。
【００２７】
このような構成の第２の袋支持部１２は、折り畳まれた状態のレジ袋３００を、一対のアーム部材２１とフック２２とで支持する。この状態から、客は、レジ袋３００から耳部３０４を切り離して、そのレジ袋３００を前方へ引き出して開口状態とする。開口状態のレジ袋３００は、一対のアーム部材２１によって支持される。このように第２の袋支持部１２によって支持されたレジ袋３００の底部は、載置台２の載置面２ａによって支持される。この状態で、客は、レジ袋３００に商品を詰めることができる。
【００２８】
背面壁３１、アーム部材３２及び側壁３３は、第１及び第２の袋支持１１，１２を載置台２に対して取り付けた取付部３０を構成している。
【００２９】
このような構成の収納体支持具１は、店舗内において例えばセルフ式商品販売データ処理装置の隣に配置される。セルフ式商品販売データ処理装置における収納体支持具１とは反対側には、会計前の商品が入れられた店舗内用買物籠を載置するための籠台が設置される。
【００３０】
ここで、セルフ式商品販売データ処理装置は、例えばセルフ式のＰＯＳ（Point of Sales：販売時点管理）端末であり、このセルフ式販売データ処理装置には、スキャナや入出金装置等が接続される。セルフ式販売データ処理装置には、商品に付された商品コードがスキャナによって読み取り入力される。そして、セルフ式販売データ処理装置は、入力された商品コードに対応して設定された価格データを商品マスタファイルから読み出し、読み出した価格データに基づいて当該商品の販売記録を示す販売データを生成してこれを記憶することにより、当該商品の販売登録を行う。
【００３１】
そして、収納体支持具１は、セルフ式商品販売データ処理装置やスキャナ、入出金装置、籠台とともにセルフチェックアウトシステムを構成する。このセルフチェックアウトシステムでは、客は、籠台に載置した店舗内用買物籠の中の会計前の商品を取り出してスキャナに近接させて、スキャナに商品コードの読み取りを行わせる。そして、客は、スキャナによって商品コードの読み取りがなされた商品を、収納体支持具１に用意したマイバスケット１００や、マイバッグ２００、又はレジ袋３００へ詰め込む。そして、客Ａは、代金として紙幣や硬貨を入出金装置に入金し、入出金装置から釣銭が払い出された場合には、払い出された釣銭を受け取り、会計を済ませる。そして、客は、商品を詰めたマイバスケット１００や、マイバッグ２００、又はレジ袋３００を収納体支持具１から取り外して持ち帰る。
【００３２】
このような会計作業の際、客は、載置台２の前側に立って、第１の通過領域４を用いて載置台２の手前からマイバスケット１００を載置面２ａへ移動させたり、第２の通過領域５を用いて載置台２の一側方からマイバスケット１００を載置面２ａへ移動させることで、載置面２ａにマイバスケット１００を搬入することができる。そして、マイバスケット１００への商品の詰め込みが終了したら、客は、第１の通過領域４を用いて載置台２の手前へマイバスケット１００を移動させたり、第２の通過領域５を用いて載置台２の一側方へマイバスケット１００を移動させることで、載置面２ａからマイバスケット１００を搬出することができる。このように、本実施の形態では、載置面２ａに対するマイバスケット１００の搬入出の方向を２方向のうちから任意に選択することができる。
【００３３】
この際、マイバスケット１００が縦幅の方が広い平面視矩形状に形成されていて、マイバスケット１００の縦幅方向が当該載置面２ａの奥行き方向に沿う状態でマイバスケット１００が載置面２ａに載置される。このため、マイバスケット１００の縦幅方向の両端部のうち載置面２ａの奥部に位置する一端部が客から比較的遠くに位置してしまい、マイバスケット１００の縦幅方向の両端部を持ってマイバスケット１００を手前に引き出すという動作が、小柄な客等にとってやり難い場合がある。このような場合であっても、客は、マイバスケット１００の横幅方向の両端部を持って、第２の通過領域５を用いて載置台２の一側方へマイバスケット１００を移動させることで、載置面２ａからマイバスケット１００を搬出することができるので、容易にマイバスケット１００を載置面２ａから搬出することができる。
【００３４】
以上説明したように、本実施の形態では、収納体支持具１が、載置台２と一対の第１の把手支持部と、を備えるので、収納体支持具１をセルフ式商品販売データ処理装置の近傍に設置することで、セルフ式商品販売データ処理装置の近傍にて、マイバスケット１００とマイバッグ２００とのいずれにも商品の詰め込み作業を容易に行うことができる。そして、本実施の形態では、収納体支持具１が、載置面２ａの奥行き方向に沿っての載置面２ａに対するマイバスケット１００の搬入出においてマイバスケット１００が通過する第１の通過領域４と、載置面２ａの幅方向に沿っての載置面２ａに対するマイバスケット１００の搬入出においてマイバスケット１００が通過する領域であって一方のフック１４と載置面２ａとの間の領域を含む第２の通過領域５と、を備える。したがって、載置面２ａに対してのマイバスケット１００の搬入出の方向として、載置面２ａの奥行き方向に沿った方向、載置面２ａの幅方向に沿った方向と、２方向が設定されているので、載置面２ａに対してのマイバスケット１００の搬入出の方向が一つにしか設定されていない場合に比べて、使い勝手が良いという利点がある。
【００３５】
また、本実施の形態では、収納体支持具１は、フレーム部材である背面壁３１とアーム部材３２とを備え、背面壁３１は、載置面２ａの奥行き方向に沿った載置面２ａへのマイバスケット１００の搬入方向で第１及び前記第２の通過領域４，５の前方に位置して載置台２に立設されており、アーム部材３２は、載置面２ａの奥行き方向に沿った載置面２ａへのマイバスケット１００の搬出方向に沿って背面壁３１から延出し先端部が相互に接続された複数の棒部３２ａを有し、棒部３２ａでフック１４を支持している。したがって、第２の通過領域５を設けるにあたって、フック１４の支持剛性が低下することを抑制することができる。
【００３６】
また、本実施の形態では、収納体支持具１は、載置面２ａの上方に位置するとともに載置面２ａの幅方向で相互に離間して対向配置され、店舗が客に提供するレジ袋３００を開口状態で支持する一対の第２の把手支持部である一対のアーム部材２１を備え、載置面２ａは、レジ袋３００の底部を支持し、第１及び第２の通過領域４，５は、アーム部材２１の下方領域を含む。したがって、レジ袋に商品を詰め込むことができ、利便性が高い。
【００３７】
また、本実施の形態では、買物籠であるマイバスケット１００は、当該マイバスケット１００の高さ方向と直交する横幅よりも高さ方向及び横幅方向と直交する縦幅の方が広い平面視矩形状に形成されており、載置面２ａは、マイバスケット１００の縦幅方向が当該載置面２ａの奥行き方向に沿う状態でマイバスケット１００の底部を支持する。したがって、収納体支持具１の幅が増大するのを抑制することができる。
【００３８】
本実施の形態では、他方のフック１４は、壁である側壁３３に固定されている。したがって、側壁３３によって、他方のフック１４を強固に支持することができる。
【００３９】
なお、本発明は、上記実施の形態に限ることなく本発明の要旨を逸脱しない範囲で他の実施の形態を各種採用することができる。例えば、第２の通過領域５を一方のフック１４側だけでなく、両方のフック１４に対して設けて良い。この場合には、例えば、他方のフック１４の支持構造を一方のフック１４の指示構造と同じにすれば良い。
【符号の説明】
【００４０】
１…収納体支持具
２ａ…載置面
２…載置台
４…第１の通過領域
５…第２の通過領域
１４…フック（第１の把手支持部）
２１…アーム部材（第２の把手支持部）
３１…背面壁（フレーム部材）
３２…アーム部材
３３…側壁（壁）
１００…マイバスケット（買物籠）
２００…マイバッグ（買物袋）
２０３…把手
３００…レジ袋
【先行技術文献】
【特許文献】
【００４１】
【特許文献１】特開２００７−３２３４５３公報
【図１】
2011051650.tif 000003
【図２】
2011051650.tif 000004
【図３】
2011051650.tif 000005
【図４】
2011051650.tif 000006